(57)【要約】【課題】作業性が向上された照明装置を提供する。【解決手段】照明装置１０は、造営材Ｂに取付けられる照明装置であって、発光部３０と、発光部３０が取付けられた反射板４０と、反射板４０が着脱可能に取付けられ、主面１２ａを有する器具本体１１と、器具本体１１に着脱可能に取付けられた枠体５２、及び、発光部３０が発する光を透過する光透過部材５１を有する透光カバー５０と、一端が器具本体１１に取付けられ、他端が反射板４０に取付けられた第一ヒモ部材２４と、一端が器具本体１１に取付けられ、他端が枠体５２に取付けられた第二ヒモ部材２５とを備える。【選択図】図８
2018120770.tif 000002
【特許請求の範囲】
【請求項１】
造営材に取付けられる照明装置であって、
発光部と、
前記発光部が取付けられた反射板と、
前記反射板が着脱可能に取付けられ、主面を有する器具本体と、
前記器具本体に着脱可能に取付けられた枠体、及び、前記発光部が発する光を透過する光透過部材を有する透光カバーと、
一端が前記器具本体に取付けられ、他端が前記反射板に取付けられた第一ヒモ部材と、
一端が前記器具本体に取付けられ、他端が前記枠体に取付けられた第二ヒモ部材とを備える
照明装置。
【請求項２】
前記器具本体の一方の端側に前記第一ヒモ部材は取付けられ、他方に前記第二ヒモ部材は取付けられた
請求項１に記載の照明装置。
【請求項３】
前記造営材に前記照明装置を取付けた状態で、前記第一ヒモ部材に前記反射板を吊り下げて、且つ、前記第二ヒモ部材に前記枠体を吊り下げた場合に、
前記反射板と前記枠体との間には、所定の間隔の隙間が形成されるように、前記第一ヒモ部材及び前記第二ヒモ部材の長さが設定された
請求項１又は２に記載の照明装置。
【請求項４】
さらに、前記反射板に覆われて前記器具本体に載置され、前記発光部に電力を供給する蓄電池を備え、
前記器具本体の一方の端側に前記蓄電池は載置され、他方に前記第一ヒモ部材及び前記第二ヒモ部材の少なくとも一方は取付けられた
請求項１〜３のいずれか１項に記載の照明装置。
【請求項５】
さらに、前記造営材の壁面に前記照明装置を取付けた状態で、前記第一ヒモ部材に前記反射板を吊り下げて、且つ、前記第二ヒモ部材に前記枠体を吊り下げた場合に、前記第一ヒモ部材の水平方向の動きを規制する第一規制部と、前記第二ヒモ部材の水平方向の動きを規制する第二規制部とを備える
請求項１〜４のいずれか１項に記載の照明装置。
【発明の詳細な説明】
【技術分野】
【０００１】
本発明は、照明装置に関する。
【背景技術】
【０００２】
従来、通常時に光源を商用交流電源などの外部電源で点灯させ、停電が発生して商用交流電源から電力が供給されなくなった場合等の非常時に、バッテリ（蓄電池）の電源により光源を点灯させるようにした非常灯対応の非常用の照明装置がある。
【０００３】
例えば特許文献１には、光源モジュールと、非常時に光源モジュールを点灯させるための蓄電池と、光源モジュール及び蓄電池を収容する器具本体とを備える照明装置が開示されている。また、蓄電池は、器具本体と着脱可能に組み付けられるように構成されている。
【先行技術文献】
【特許文献】
【０００４】
【特許文献１】特開２０１６−０９１７４１号公報
【発明の概要】
【発明が解決しようとする課題】
【０００５】
ところで、照明装置は、人の手が届き難い比較的高所に設置される場合が多く、照明装置が備える光源、蓄電池等の構成部品を交換するために、当該構成部品を交換する作業者は、高所での作業が必要となる場合がある。その場合、照明装置には、当該構成部品を本体に着脱する作業者の作業性の向上が要求される。
【０００６】
本発明は、作業性が向上された照明装置を提供する。
【課題を解決するための手段】
【０００７】
本発明の一態様に係る照明装置は、造営材に取付けられる照明装置であって、発光部と、前記発光部が取付けられた反射板と、前記反射板が着脱可能に取付けられ、主面を有する器具本体と、前記器具本体に着脱可能に取付けられた枠体、及び、前記発光部が発する光を透過する光透過部材を有する透光カバーと、一端が前記器具本体に取付けられ、他端が前記反射板に取付けられた第一ヒモ部材と、一端が前記器具本体に取付けられ、他端が前記枠体に取付けられた第二ヒモ部材とを備える。
【発明の効果】
【０００８】
本発明によれば、作業性が向上された照明装置が実現される。
【図面の簡単な説明】
【０００９】
【図１】図１は、実施の形態に係る照明装置の下方から見た外観斜視図である。
【図２】図２は、実施の形態に係る照明装置の下方から見た分解斜視図である。
【図３】図３は、反射板に取付けられる構成要素を反射板から取り外した図である。
【図４】図４は、実施の形態に係る照明装置の透光カバーを取り外した場合の下面図である。
【図５】図５は、図４の照明装置から反射板を取り外した場合の下面図である。
【図６】図６は、図４のＶＩ−ＶＩ線に対応した位置で照明装置を切断した場合の断面図である。
【図７】図７は、実施の形態に係る照明装置を造営材に取付けた状態で、反射板及び透光カバーを吊り下げた状態の一例を示す図である。
【図８】図８は、実施の形態に係る照明装置を造営材に取付けた状態で、反射板及び透光カバーを吊り下げた状態の別の一例を示す図である。
【図９】図９は、図８に示す破線ＩＸに囲まれた領域を示す部分拡大図である。
【発明を実施するための形態】
【００１０】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
以下の実施の形態の図面においては、Ｙ軸方向は、例えば上下方向（鉛直方向）であり、Ｙ負方向側は、上側又は天井側と記載される場合がある。また、Ｙ軸正方向側は、下側と記載される場合がある。また、Ｘ軸方向及びＺ軸方向は、Ｙ軸に垂直な平面（水平面）上において、互いに直交する方向である。また、本明細書において、平面視とは、器具本体に設けられた主面の法線方向から当該主面を見た場合を示す。
【００１３】
また、本明細書において、「略」又は「約」とは、製造又は配置の際に生じる誤差を含むことを意味する。
【００１４】
（実施の形態）
［照明装置の構成］
実施の形態に係る照明装置の構成について詳細に説明する。
【００１５】
図１は、実施の形態に係る照明装置の下方から見た外観斜視図である。図２は、実施の形態に係る照明装置の下方から見た分解斜視図である。図３は、実施の形態に係る照明装置が備える反射板に取付けられる構成要素を反射板から取り外した図である。図４は、実施の形態に係る照明装置の透光カバーを取り外した場合の下面図である。図５は、図４の照明装置から反射板を取り外した場合の下面図である。具体的には、図５は、実施の形態に係る照明装置から透光カバーと、反射板と、反射板に取付けられる構成要素を取り外した図である。図６は、図４のＶＩ−ＶＩ線に対応する位置で照明装置を切断した場合の断面図である。つまり、図６は、透光カバーを取付けた状態の照明装置を、図４に示すＶＩ−ＶＩ線に対応する位置に沿って切断した断面を示す断面図である。
【００１６】
図１〜図６に示されるように、照明装置１０は、器具本体１１と、発光部３０と、反射板４０と、透光カバー５０と、蓄電池６０と、点灯制御装置７０と、端子台８０と、を備える。
【００１７】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取付けられる。本実施の形態においては、照明装置１０の平面視形状は、円形である。なお、「平面視」とは、器具本体１１に設けられた主面１２ａ、又は、反射板４０に設けられた載置面４１を法線方向から見た場合を示す。
【００１８】
器具本体１１は、天井又は壁面などの造営材の施工面に取付けられる部材であり、言い換えれば、取付け台である。器具本体１１は、例えば、アルミダイカスト等によって形成されるが、その他の金属、又は樹脂によって形成されてもよい。器具本体１１は、平面視形状が円形の平板状のベース部１２と、ベース部１２の周縁近傍の下側に立設した側壁部１３とを含む有底筒状である。
【００１９】
ベース部１２は、器具本体１１を造営材に取付けるための取付け構造（開口）が設けられている。ベース部１２は、平板状であり、後述する蓄電池６０等の照明装置１０の構成部材が載置される面（主面１２ａ）とは反対側の面（取付け面１２ｂ）側が、造営材の施工面に取付けられる。なお、照明装置１０が造営材に取り付けられた場合に、造営材の施工面と、上述した蓄電池６０等の照明装置１０の構成部材が載置される主面１２ａとは、略平行となる。
【００２０】
ベース部１２には、２つの取付け部１４が備えられている。
【００２１】
なお、図１〜図６の説明においては、器具本体１１（照明装置１０）は、天井に取付けられるものとして説明が行われる。
【００２２】
取付け部１４は、主面１２ａに対して平行な方向の反射板４０の動きを規制し、反射板４０が着脱可能に取付けられる部材であり、造営材の施工面に対して垂直な方向に立設された状態でベース部１２に設けられる。つまり、取付け部１４は、反射板４０を器具本体１１に着脱可能に取付けるための部材である。なお、取付け部１４の構造は限定されるものではない。取付け部１４は、例えば、ねじ２６と、ねじ２６を支持し、ベース部１２に立設される支柱部２７とから構成される。
【００２３】
また、図３に示されるように、反射板４０は一対の取付け孔４５を有する。また、器具本体１１には、一対の取付け部１４が設けられる。また、一対の取付け孔４５と一対の取付け部１４とはそれぞれが対応した位置に配置される。図５に示されるように、一対の取付け部１４は、ベース部１２の周縁近傍の対向した位置に配置される。
【００２４】
器具本体１１のベース部１２には、蓄電池６０、点灯制御装置７０及び端子台８０が載置される。
【００２５】
蓄電池６０は、発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２６】
点灯制御装置７０は、照明装置１０の外部から供給される交流電力を直流電力に変換して発光部３０に供給する電源回路ユニットである。具体的には、点灯制御装置７０は、基板に回路部品が実装されることにより形成された電源回路と、樹脂製のカバーとを有する。電源回路は、整流回路及びインバータ回路などを含む。点灯制御装置７０は、例えば、ベース部１２の主面１２ａに載置された状態でベース部１２にネジ止めされる。
【００２７】
端子台８０は、外部交流電源と点灯制御装置７０とを電気的に接続させるために電線が差し込まれる１又は複数の端子が配設された端子ユニットである。交流電力は、端子台８０に差し込まれた電線を介して外部交流電源から点灯制御装置７０へ供給される。
【００２８】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態においては、停電時などの非常時においても照明装置１０の使用が可能なように、蓄電池６０はトリクル充電される。
【００２９】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、発光部３０に直流電力を供給する。これにより、照明装置１０は、停電時も発光を継続することができる。
【００３０】
発光部３０は、照明光を発する照明装置１０の照明用光源として機能する。発光部３０は、具体的には、基板上に実装されたＬＥＤ（Ｌｉｇｈｔ  Ｅｍｉｔｔｉｎｇ  Ｄｉｏｄｅ）チップが、蛍光体を含有する透光性樹脂によって封止されたＣＯＢ（Ｃｈｉｐ  Ｏｎ  Ｂｏａｒｄ）型の発光モジュール３１を備える。発光部３０は、円形の発光領域を有する。本実施の形態においては、発光部３０は、さらに、配光を制御するためのレンズを有し、発光部３０を反射板４０にネジ止めするためのホルダ３２を備える。発光部３０は、例えば、白色光を主とした照明光を下方に向けて発する。つまり、発光部３０は、白色光を透光カバー５０に向けて発する。なお、発光部３０と載置面４１との間には、放熱シート３３などの放熱部材が配置されてもよい。
【００３１】
また、発光部３０は、透光カバー５０が備える光透過部材５１と反射板４０との間に配置される。また、平面視した場合に、発光部３０は反射板４０下面の中央部に位置する載置面４１に配置される。発光部３０は、反射板４０の載置面４１に載置され、載置面４１にねじ止めされる。なお、図示されないが、発光部３０は、蓄電池６０及び点灯制御装置７０とリード線などによって電気的に接続される。
【００３２】
ところで、上述したように照明装置が備える光源の交換等のために、壁、天井等の造営材に固定される照明装置の器具本体と、照明装置が備える照明装置の構成部材とが着脱可能に取付けられる場合がある。実施の形態に係る照明装置１０においては、照明装置１０は蓄電池６０を備える。一般的に、蓄電池が内蔵された例えば防災用（非常用）の照明装置は、定期的に蓄電池の状態を確認する必要がある。この際に、蓄電池が、蓄電池に要求される能力を満たしていないことが確認された場合、蓄電池は交換される必要がある。そのために、照明装置１０においては、器具本体１１に取付けられている蓄電池６０を交換しやすくするために、反射板４０及び透光カバー５０は器具本体１１と着脱可能に取付けられている。
【００３３】
反射板４０は、発光部３０が配置される載置面４１が設けられ、発光部３０が発する光を反射する板体である。また、反射板４０は、発光部３０から発せられる光を、透光カバー５０（具体的には、光透過部材５１）側へ反射する。また、反射板４０は、発光部３０を器具本体１１に着脱可能に取付けるための取付け部材である。具体的には、反射板４０は、主面１２ａに対して平行な方向にスライドされることにより、器具本体１１（具体的には、取付け部１４）に着脱可能に取付けられる。また、反射板４０は、ベース部１２に載置された蓄電池６０、点灯制御装置７０及び端子台８０を覆うように器具本体１１に取付けられる。言い換えると、蓄電池６０、点灯制御装置７０及び端子台８０は、反射板４０に覆われて器具本体１１に載置される。また、反射板４０は、発光部３０の光軸Ｌ方向（図６に示すＹ軸方向）において、器具本体１１（具体的にはベース部１２）と透光カバー５０（具体的には透光カバー５０が備える光透過部材５１）との間に配置される。図６に示されるように、反射板４０とベース部１２との間、及び、反射板４０と光透過部材５１との間のそれぞれには、空隙（空気層）が形成される。つまり、反射板４０は、器具本体１１及び光透過部材５１のいずれの部材とも直接接触しない。このように、発光部３０が反射板４０の載置面４１に載置される構造によれば、発光部３０がベース部１２に載置される構造よりも、発光部３０が発する熱がベース部１２に伝わりにくい効果が得られる。
【００３４】
また、反射板４０は、上方（ベース部１２側）に向かうほど縮径する略漏斗状である。言い換えると、反射板４０は、発光部３０から離れるにつれて開口面積が広がる漏斗形状である。反射板４０は、例えば、アルミニウムによって形成されるが、その他の金属又は樹脂によって形成されてもよい。
【００３５】
なお、ベース部１２に載置される蓄電池６０、点灯制御装置７０及び端子台８０は、反射板４０が器具本体１１にスライドされて取付けられる際に反射板４０と接触しない位置に載置されるとよい。具体的には、上述したように反射板４０は略漏斗状であるため、載置面４１の上部ではなく、傾斜部４２又は平坦部４３の上部に蓄電池６０及び端子台８０が載置されるとよい。こうすることで、反射板４０は、蓄電池６０及び端子台８０に接触することなく、取付け部１４に取付けられる。
【００３６】
図３に示されるように、反射板４０は、載置面４１、傾斜部４２、及び平坦部４３を有する。
【００３７】
載置面４１は、反射板４０の略中央部に位置し、発光部３０が載置される平面である。載置面４１の平面視形状は、特に限定されるものではないが、本実施の形態においては円形である。発光部３０は、載置面４１に載置されることにより、光透過部材５１と反射板４０との間に位置する。
【００３８】
また、反射板４０のうち載置面４１の反対側の面、つまり、載置面４１と背向する面には、ヒートシンクが配置されてもよい。当該ヒートシンクによれば、発光部３０が発光中に発する熱を当該ヒートシンクに逃がすことができる。当該ヒートシンクは、例えば、アルミダイカストによって形成されるが、その他の金属によって形成されてもよい。
【００３９】
また、反射板４０には、発光部３０が発する光を透光カバー５０側に反射させる傾斜部４２が含まれるとよい。傾斜部４２は、載置面４１の周囲を囲むように載置面４１と連続的に形成された部分であり、発光部３０が発する光の一部を光透過部材５１に向けて反射する。傾斜部４２は、径方向において一部が湾曲したテーパ部である。
【００４０】
また、反射板４０の周縁部には、傾斜部４２に対して、さらに傾斜部４２からベース部１２側に傾斜して延在したフランジ状の平坦部４３が設けられる。具体的には、反射板４０の周縁部には、傾斜部４２に対して傾斜し、載置面４１に対して略平行な平坦部４３が設けられる。言い換えると、反射板４０の周縁近傍には、発光部３０が発する光の光軸Ｌ方向に対して略垂直方向に屈曲して形成された平坦部４３が設けられる。平坦部４３には、取付け孔４５が設けられる。
【００４１】
反射板４０の周縁部には、一対の取付け孔４５が対向して配置される。取付け孔４５は、取付け部１４に対応して位置し、光軸Ｌ方向に貫通して形成された孔である。取付け孔４５が取付け部１４に係合されることで、反射板４０は器具本体１１に取付けられる。なお、反射板４０の平坦部４３に配置される取付け孔４５の数は特に限定されるものではない。器具本体１１に設けられる取付け部１４に対応した数だけ設けられるとよい。
【００４２】
透光カバー５０は、照明装置１０の外郭筐体の一部を構成する、器具本体１１と着脱可能なカバー部材である。透光カバー５０は、光透過部材５１と、枠体５２とを備える。
【００４３】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４４】
光透過部材５１は、枠体５２の下側の開口を塞ぐように枠体５２に取付けられる。光透過部材５１は、具体的には、外側に向かって鍔状にせり出した光透過部材５１の縁が、支持枠１００と枠体５２の鍔状にせり出した部分との間に挟み込まれることによって、枠体５２に取付けられる。
【００４５】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４６】
枠体５２は、発光部３０及び反射板４０などを側方から囲む筒状筐体である。枠体５２は、円筒状である。枠体５２は、器具本体１１及び光透過部材５１とともに、照明装置１０の外郭筐体を構成する。枠体５２は、外郭筐体の側壁部分に相当する。なお、枠体５２は、取付け部１４には接触しない。枠体５２と取付け部１４との間には空隙（空気層）が形成される。
【００４７】
枠体５２は、上側の開口に器具本体１１が配置された状態で回動されることにより、器具本体１１に接続される。具体的には、枠体５２の内壁には、器具本体１１の側壁部１３に形成された雄ねじと螺合する雌ねじが形成されている。器具本体１１と枠体５２とは、当該雄ねじと当該雌ねじとが回動されて螺合することにより接続される。枠体５２は、例えば、アルミダイカストによって形成されるが、その他の金属、又は、樹脂によって形成されてもよい。
【００４８】
また、器具本体１１に透光カバー５０が取付けられた場合に、照明装置１０は、発光部３０が発する光の光軸Ｌ方向の長さに対して、光軸Ｌ方向に対して垂直な方向の長さの方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、発光部３０が発する光の光軸Ｌに平行な方向の長さに対して、照明装置１０における最も長い垂直な方向の長さの方が大きい扁平形状であればよい。
【００４９】
なお、照明装置１０が防災用の照明装置として採用される場合、照明装置１０の外郭筐体を構成する器具本体１１及び透光カバー５０は、不燃性又は難燃性の材料で形成されるとよい。具体的には、上述したように、器具本体１１及び枠体５２はアルミダイカストによって形成され、光透過部材５１はガラスによって形成されるとよい。こうすることにより、火災が発生した際などに、照明装置１０が延焼によって発火することが抑制される。
【００５０】
また、照明装置１０は、第一ヒモ部材２４及び第二ヒモ部材２５をさらに備える。
【００５１】
第一ヒモ部材２４は、一端（第一ヒモ一端部）２４ａが器具本体１１に取付けられ、他端（第一ヒモ他端部）２４ｂが反射板４０に取付けられる紐状の部材である（図８参照）。
【００５２】
第二ヒモ部材２５は、一端（第二ヒモ一端部）２５ａが器具本体１１に取付けられ、他端（第二ヒモ他端部）２５ｂが透光カバー５０（具体的には、枠体５２）に取付けられる紐状の部材である（図９参照）。
【００５３】
第一ヒモ部材２４及び第二ヒモ部材２５の材料は、特に限定されないが、例えば金属、不燃性又は難燃性の樹脂材料等が採用される。なお、図２においては、第一ヒモ部材２４及び第二ヒモ部材２５の図示を省略している。また、図５及び図６においては、第一ヒモ部材２４及び第二ヒモ部材２５の長さは、厳密に図示されるものではない。第一ヒモ部材２４及び第二ヒモ部材２５の詳細については、後述する。
【００５４】
また、照明装置１０は、支持枠１００をさらに備える。
【００５５】
支持枠１００は、透光カバー５０（具体的には枠体５２）の内側に配置される環状の枠体である。支持枠１００は、第二ヒモ他端部２５ｂを透光カバー５０に支持するために透光カバー５０に配置される。
【００５６】
図６に示されるように、枠体５２の内周面５２ａには、凹部５２ｂが設けられる。具体的には、凹部５２ｂは、枠体５２の内周面５２ａの周方向に延在して枠体５２に設けられる。また、支持枠１００は、凹部５２ｂの近傍に配置される。第二ヒモ他端部２５ｂは、第二ヒモ他端部２５ｂ以外の部分より幅が大きい球形となっている。第二ヒモ他端部２５ｂが凹部５２ｂ及び支持枠１００で形成された空間に配置されることにより、第二ヒモ部材２５は透光カバー５０と接続される。
【００５７】
なお、第二ヒモ部材２５と透光カバー５０との接続方法はあくまで一例であり、これに限定されない。例えば、第二ヒモ他端２５ｂが、枠体５２にねじ止めされていてもよい。
【００５８】
また、照明装置１０は、取付けシート９０及びパッキン１１０を備えてもよい。
【００５９】
取付けシート９０は、ベース部１２の取付け面１２ｂ側に配置され、ベース部１２と造営材とを密着させやすくするための緩衝部材である。取付けシート９０には、ベース部１２に形成された造営材に取付けるための取付け構造（開口）に対応した位置に、取付け構造（開口）が形成される。取付けシート９０は、例えば、不燃性又は難燃性であり、水が不透過のウレタン等の樹脂材料によって形成される。
【００６０】
パッキン１１０は、側壁部１３の外周面１３ａと枠体５２の内周面５２ａとの間に位置し、枠体５２と側壁部１３とを密着させやすくするための環状の気密封止部材である。パッキン１１０は、側壁部１３の外周面１３ａに沿って形成される。言い換えると、パッキン１１０は側壁部１３の外周面１３ａに、器具本体１１の周方向に延在して形成される。パッキン１１０は、例えば、ゴム弾性を有する樹脂材料によって形成される。
【００６１】
次に、図５〜図９を用いて、照明装置１０を造営材に取付けた場合に、透光カバー５０及び反射板４０を吊り下げた状態について説明する。
【００６２】
図７は、実施の形態に係る照明装置１０を造営材に取付けた状態で、反射板４０及び透光カバー５０を吊り下げた状態の一例を示す図である。具体的には、図７においては、造営材は天井であり、照明装置１０を造営材の天井面に取付けた場合を説明するための図である。図８は、実施の形態に係る照明装置１０を造営材に取付けた状態で、反射板４０及び透光カバー５０を吊り下げた状態の別の一例を示す図である。具体的には、図８においては、造営材は壁であり、照明装置１０を造営材の壁面に取付けた場合を説明するための図である。より具体的には、図８において、造営材の壁面はＸＺ平面である。また、照明装置１０は、Ｚ軸正方向側に発光部３０からの光が出射されるように造営材の壁面に取付けられている。図９は、図８に示す破線ＩＸに囲まれた領域を示す部分拡大図である。なお、図９は、説明のために図８とは異なる方向から見た場合について図示している。
【００６３】
図８に示されるように、第一ヒモ部材２４の一端（第一ヒモ一端部）２４ａは、器具本体１１に取付けられる。器具本体１１は、第一ヒモ一端部２４ａを器具本体１１に支持するための第一ヒモ取付け部２８を備える。
【００６４】
第一ヒモ取付け部２８は、第一ヒモ部材２４を器具本体１１に取付けるための部分である。第一ヒモ取付け部２８は、一例として、ねじ２６ａと支柱部２７ａとから構成される。第一ヒモ部材２４は、ベース部１２から立設された支柱部２７ａに支持されるねじ２６ａによって、第一ヒモ一端部２４ａが支持されることにより、器具本体１１に取付けられる。
【００６５】
また、第一ヒモ部材２４の他端（第一ヒモ他端部）２４ｂは、反射板４０に取付けられる。第一ヒモ他端部２４ｂは、例えば、第一ヒモ他端部２４ｂ以外の部分より幅が大きい球形となっている。第一ヒモ他端部２４ｂは、反射板４０に設けられた第一ヒモ取付け孔４６に取付けられている。具体的には、第一ヒモ取付け孔４６は、球状に形成されている第一ヒモ他端部２４ｂよりも径が小さく形成される。こうすることにより、反射板４０を器具本体１１から取り外して吊り下げた場合に（例えば、図８に示す状態に照明装置１０をした場合に）、第一ヒモ他端部２４ｂは反射板４０に引っかかるようになる。
【００６６】
第二ヒモ取付け部２９は、第二ヒモ部材２５を器具本体１１に取付けるための部分である。図９に示されるように、第二ヒモ取付け部２９は、例えば第一ヒモ取付け部２８と同様の構造を有し、第二ヒモ部材２５の一端（第二ヒモ一端部）２５ａを支持する。一例として、第二ヒモ取付け部２９は、ねじ２６ｂと支柱部２７ｂとから構成される。第二ヒモ部材２５は、ベース部１２に立設された支柱部２７ｂに支持されるねじ２６ｂによって、第二ヒモ一端部２５ａが支持されることにより、器具本体１１に取付けられる。
【００６７】
ここで、図７に示されるように、造営材Ｂの天井面Ｃに照明装置１０を取付けた状態で、第一ヒモ部材２４に反射板４０を吊り下げて、且つ、第二ヒモ部材２５に透光カバー５０を吊り下げる場合について考える。この場合に、反射板４０と透光カバー５０との間には、所定の間隔の隙間Ｓが形成されるとよい。例えば、器具本体１１の一方の端側に第一ヒモ部材２４は取付けられ、他方に第二ヒモ部材２５は取付けられるとよい。具体的には、図６に示されるように、照明装置１０を平面視した場合に、照明装置１０を二分するＺ軸に平行な中央線Ａに対して、第一ヒモ取付け部２８はＸ軸負方向側に位置し、第二ヒモ取付け部２９はＸ軸正方向側に位置するとよい。
【００６８】
次に、図８に示されるように、例えば、照明装置１０が造営材Ｂの壁面Ｗに取付けられた状態で、第一ヒモ部材２４に反射板４０を吊り下げて、且つ、第二ヒモ部材２５に透光カバー５０を吊り下げた場合について考える。この場合に、反射板４０と透光カバー５０との間には、所定の間隔の隙間Ｓ１が形成されるように、第一ヒモ部材長さＬ１及び第二ヒモ部材長さＬ２が設定されるとよい。
【００６９】
例えば、反射板４０の厚み（Ｚ軸方向の幅）が２０ｍｍであり、透光カバー５０の厚み（Ｚ軸方向の幅）が８０ｍｍである場合、器具本体１１の第一ヒモ取付け部２８と第二ヒモ取付け部２９との間は１００ｍｍより大きい。その場合、図５に示されるように、第一ヒモ取付け部２８から器具本体１１外径までの長さＬ３が３２ｍｍ、且つ、第二ヒモ取付け部２９から器具本体１１外径までの長さＬ４が６８ｍｍのとき、第一ヒモ部材長さＬ１は３２ｍｍより長く、第二ヒモ部材長さＬ２は、６８ｍｍより長い。なお、第一ヒモ取付け部２８又は第二ヒモ取付け部２９から器具本体１１外径までの距離とは、照明装置１０を壁面Ｗに取付けた場合に平面視したとき、第一ヒモ取付け部２８及び第二ヒモ取付け部２９の中心から、当該中心の鉛直下側に位置する器具本体１１外径までの距離である。図５においては、第一ヒモ取付け部２８及び第二ヒモ取付け部２９から器具本体１１外径までの距離は、Ｚ軸に平行な方向の距離である。
【００７０】
また、第一ヒモ部材長さＬ１及び第二ヒモ部材長さＬ２の長さを異ならせることにより、反射板４０及び透光カバー５０を吊り下げた場合に、互いに干渉しない（ぶつからない）長さに調整されるとよい。
【００７１】
また、図８に示されるように、照明装置１０は、造営材Ｂの壁面Ｗに照明装置１０を取付けた状態で、第一ヒモ部材２４に反射板４０を吊り下げて、且つ、第二ヒモ部材２５に枠体５２を吊り下げた場合に、第一ヒモ部材２４の水平方向の動きを規制する第一規制部１３０と、第二ヒモ部材２５の水平方向の動きを規制する第二規制部１３１とを備える。具体的には、第一規制部１３０は、第一ヒモ部材２４のＸ軸正方向への動きを規制する。また、第二規制部１３１は、第二ヒモ部材２５のＸ軸負方向への動きを規制する。
【００７２】
第一規制部１３０は、第一ヒモ部材２４の動きを規制し、ベース部１２の主面１２ａに立設される部材である。具体的には、第一規制部１３０は、ベース部１２の主面１２ａの法線方向に立設され、主面１２ａと接続されている一端部とは反対側の他端部がＹ軸負方向側へＬ字状に折れ曲がった形状を有する。造営材Ｂの壁面Ｗに照明装置１０を取付けた状態で、第一ヒモ部材２４に反射板４０を吊り下げたとき、第一ヒモ部材２４は、第一規制部１３０に引っかかるように配置される。こうすることで、反射板４０は、第一規制部１３０がない場合と比較して、第一ヒモ部材２４に反射板４０を吊り下げた場合に、Ｘ軸負方向側へ位置することとなる。つまり、造営材Ｂの壁面Ｗに照明装置１０を取付けた状態で、透光カバー５０及び反射板４０を吊り下げたとき、平面視における照明装置１０の中心からの距離が、第一ヒモ取付け部２８よりも水平方向に離れた位置に、照明装置１０が第一規制部１３０を備えることで、透光カバー５０と反射板４０とが干渉しにくくなる。
【００７３】
また、照明装置１０は、造営材Ｂの壁面Ｗに照明装置１０を取付けた状態で、第二ヒモ部材２５に透光カバー５０を吊り下げたとき、第二ヒモ部材２５が引っかかる第二規制部１３１を備える。こうすることで、透光カバー５０は、第二規制部１３１がない場合と比較して、第二ヒモ部材２５に透光カバー５０を吊り下げた場合に、Ｘ軸正方向側へ位置することとなる。つまり、造営材Ｂの壁面Ｗに照明装置１０を取付けた状態で、透光カバー５０及び反射板４０を吊り下げたとき、平面視における照明装置１０の中心からの距離が、第二ヒモ取付け部２９よりも水平方向に離れた位置に、照明装置１０が第二規制部１３１を備えることで、透光カバー５０と反射板４０とが干渉しにくくなる。
【００７４】
なお、図９に示されるように、本実施の形態において、第二規制部１３１は点灯制御装置７０の一部分である。このように、第一規制部１３０及び第二規制部１３１のそれぞれの機能は、照明装置１０が備える部品、装置、機構等を好適に配置することで達成されてもよい。或いは、照明装置１０に第一規制部１３０及び第二規制部１３１の機能（第一ヒモ部材２４及び第二ヒモ部材２５のＸ軸方向への動きを規制する機能）を満たす部品、装置、機構等が別途設けられてもよい。例えば、照明装置１０は、上述した第一規制部１３０の機能を有するように、取付け部１４の位置が変更されてもよいし第二規制部１３１として、新たにベース部１２に立設された支柱が設けられていてもよい。
【００７５】
また、器具本体１１の一方の端側に蓄電池６０は載置され、他方の端側に第一ヒモ部材２４及び第二ヒモ部材２５の少なくとも一方は取付けられるとよい。具体的には、照明装置１０を造営材Ｂの壁面Ｗに取付けた場合に、平面視において、照明装置１０を二分するＸ軸に平行な中央線Ａ１に対して、蓄電池６０はＹ軸負方向側に位置し、第一ヒモ取付け部２８及び第二ヒモ取付け部２９はＹ軸正方向側に位置するとよい。より具体的には、照明装置１０を造営材Ｂの壁面Ｗに取付けた場合に、平面視において、蓄電池６０は器具本体１１の鉛直上方側に位置し、第一ヒモ取付け部２８及び第二ヒモ取付け部２９は器具本体１１の鉛直下方側に位置するとよい。なお、図８において、平面視とは、Ｚ軸正方向側から照明装置１０を見た場合を示す。
【００７６】
［効果等］
以上説明したように、照明装置１０は、造営材Ｂに取付けられる照明装置であって、発光部３０と、発光部３０が取付けられた反射板４０とを備える。また、照明装置１０は、さらに反射板４０が着脱可能に取付けられ、主面１２ａを有する器具本体１１と、器具本体１１に着脱可能に取付けられた枠体５２、及び、発光部３０が発する光を透過する光透過部材５１を有する透光カバー５０を備える。また、照明装置１０は、さらに、一端が器具本体１１に取付けられ、他端が反射板４０に取付けられた第一ヒモ部材２４と、一端が器具本体１１に取付けられ、他端が枠体５２に取付けられた第二ヒモ部材２５とを備える。
【００７７】
これにより、例えば、造営材Ｂに照明装置１０を取付ける際に、反射板４０及び透光カバー５０を吊り下げた状態で、ベース部１２を造営材Ｂに取付けることが可能となる。そのため、照明装置１０によれば、照明装置１０を造営材Ｂに取付ける作業者の作業性は向上される。
【００７８】
また、器具本体１１の一方の端側に第一ヒモ部材２４は取付けられてもよく、他方に第二ヒモ部材２５は取付けられてもよい。
【００７９】
こうすることで、第一ヒモ部材２４と第二ヒモ部材２５とが互いに干渉しにくくなる。これにより、例えば、造営材Ｂに照明装置１０を取付け、反射板４０及び透光カバー５０を吊り下げた状態で、反射板４０と透光カバー５０とが干渉しにくくなる。そのため、反射板４０と透光カバー５０とが干渉することによる、例えば、光透過部材５１の破損などの、照明装置１０の故障が抑制される。
【００８０】
また、造営材Ｂに照明装置１０を取付けた状態で、第一ヒモ部材２４に反射板４０を吊り下げて、且つ、第二ヒモ部材２５に枠体５２を吊り下げた場合に、反射板４０と枠体５２との間には、所定の間隔の隙間が形成されるように、第一ヒモ部材２４及び第二ヒモ部材２５の長さが設定されてもよい。
【００８１】
こうすることで、特に造営材Ｂの壁面Ｗに照明装置１０を取付けた場合に、反射板４０及び透光カバー５０を吊り下げたとき、第一ヒモ部材２４と第二ヒモ部材２５とが互いに干渉しにくくなる。これにより、例えば、造営材Ｂに照明装置１０を取付け、反射板４０及び透光カバー５０を吊り下げた状態で、反射板４０と透光カバー５０とが干渉しにくくなる。そのため、反射板４０と透光カバー５０とが干渉することによる、例えば、光透過部材５１の破損などの、照明装置１０の故障が抑制される。
【００８２】
また、照明装置１０は、さらに、反射板４０に覆われて器具本体１１に載置され、発光部３０に電力を供給する蓄電池６０を備えてもよい。また、器具本体１１の一方の端側に蓄電池６０は載置され、他方に第一ヒモ部材２４及び第二ヒモ部材２５の少なくとも一方は取付けられてもよい。
【００８３】
こうすることで、造営材Ｂに照明装置１０を取付けた場合に、反射板４０及び透光カバー５０を吊り下げたとき、第一ヒモ部材２４及び第二ヒモ部材２５は蓄電池６０と離れやすくなる。つまり、作業者が蓄電池６０を交換する際に、反射板４０及び透光カバー５０を吊り下げた場合においても、作業者は蓄電池６０を交換しやすい。
【００８４】
また、照明装置１０は、さらに、造営材Ｂの壁面Ｗに照明装置１０を取付けた状態で、第一ヒモ部材２４に反射板４０を吊り下げて、且つ、第二ヒモ部材２５に枠体５２を吊り下げた場合に、第一ヒモ部材２４の水平方向の動きを規制する第一規制部１３０と、第二ヒモ部材２５の水平方向の動きを規制する第二規制部１３１とを備えてもよい。
【００８５】
こうすることで、特に造営材Ｂの壁面Ｗに照明装置１０を取付けた場合に、反射板４０及び透光カバー５０を吊り下げたとき、第一ヒモ部材２４と第二ヒモ部材２５とが互いにより干渉しにくくなる。これにより、例えば、造営材Ｂに照明装置１０を取付け、反射板４０及び透光カバー５０を吊り下げた状態で、反射板４０と透光カバー５０とがより干渉しにくくなる。そのため、反射板４０と透光カバー５０とが干渉することによる、例えば、光透過部材５１の破損などの、照明装置１０の故障がより抑制される。
【００８６】
（その他の実施の形態）
以上、実施の形態に係る照明装置について説明したが、本発明は、このような実施の形態に限定されるものではない。
【００８７】
上記実施の形態で説明された照明装置の形状は、一例である。例えば、上記実施の形態では、照明装置の平面視形状は、円形であったが、照明装置の平面視形状は、矩形などの多角形であってもよい。
【００８８】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光灯、メタルハライドランプ、ナトリウムランプ、ハロゲンランプ、キセノンランプ、又は、ネオンランプ等が用いられてもよい。また、発光部には、無機エレクトロルミネッセンス、有機エレクトロルミネッセンス、ケミルミネッセンス（化学発光）、又は、半導体レーザー等が用いられてもよい。
【００８９】
以上、一つ又は複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【００９０】
１０  照明装置
１１  器具本体
１２ａ  主面
２４  第一ヒモ部材
２４ａ  第一ヒモ一端部
２４ｂ  第一ヒモ他端部
２５  第二ヒモ部材
２５ａ  第二ヒモ一端部
２５ｂ  第二ヒモ他端部
２８  第一ヒモ取付け部
２９  第二ヒモ取付け部
３０  発光部
４０  反射板
５０  透光カバー
５１  光透過部材
５２  枠体
６０  蓄電池
１３０  第一規制部
１３１  第二規制部
Ｂ  造営材
Ｌ１  第一ヒモ部材長さ
Ｌ２  第二ヒモ部材長さ
Ｓ、Ｓ１  隙間
Ｗ  壁面
【図１】
2018120770.tif 000003
【図２】
2018120770.tif 000004
【図３】
2018120770.tif 000005
【図４】
2018120770.tif 000006
【図５】
2018120770.tif 000007
【図６】
2018120770.tif 000008
【図７】
2018120770.tif 000009
【図８】
2018120770.tif 000010
【図９】
2018120770.tif 000011